(57)【要約】      （修正有）【課題】介護を必要とする老人や病人などの被介護者を車椅子へ乗り換えさせる作業負担を軽減できる車椅子兼用介護ベットを提供する。【解決手段】中央部に収納空間部を形成してなる固定ベット本体と、当該収納空間部に嵌合組み合わせて介護用ベットを構成し得る可動ベット体とからなり、当該固定ベット本体は、その中央部に前記可動ベット体が嵌合できるように収納空間部が穿設されているとともに、ベット体側部には前記可動ベット体が出入できる出入口部が構成されていて、前記可動ベット体は、車椅子構造基体とマット構造部材との組み合わせからなり、当該車椅子構造基体の床面構成体は、背部床面、座部床面、脚部床面、足台床面を連結手段により屈曲自在に連結した構成となし、当該床面構成体を水平状態に変形して介護用ベットにするとともに、当該床面構成体の形態を変形して車椅子とし、固定ベット本体から分離移動できるようにしたことを特徴とする。【選択図】図２
0003169742.tif 000002
【実用新案登録請求の範囲】
【請求項１】
中央部に収納空間部を形成してなる固定ベット本体と、当該収納空間部に嵌合組み合わせて介護用ベットを構成し得る可動ベット体とからなり、
当該固定ベット本体は、その中央部の長手方向に水平状態の前記可動ベット体が嵌合できるように収納空間部が穿設されているとともに、その左右いずれか一方のベット体側部には、当該ベット体側部の一部が外側に開扉状に開閉する出入口部が構成されており、当該出入口部が開成状態時には前記収納空間部から前記可動ベット体が出入できるように開口され、当該出入口部が閉成状態時にはベット体の側部を構成するようになっており、
前記可動ベット体は、車椅子構造基体とマット構造部材との組み合わせからなり、当該車椅子構造基体は、固定ベット本体と同一高さの背部床面、座部床面、脚部床面、足台床面を順次直列に連結手段により屈曲自在に連結するとともに、当該背部床面から座部床面にかけての左右両側部には肘掛床面が配設してなる床面構成体と、前記座部床面の下側に脚部を介して左右に一対の前輪と後輪とを設けるとともに、当該座部床面の下側に台枠を配設してそこに前記床面構成体を変形する変形駆動機構と後輪駆動機構とそれらを駆動させるための電源部とを備える動力伝達部が構成されており、
前記床面構成体は動力伝達部の変形駆動機構の駆動操作により、その構成する前記床面を前記座部床面を基準としてほぼ水平状態の同一平面形状にすることが出来るとともに、当該床面構成体は、前記変形駆動機構の駆動操作により前記座部床面を基準として、背部床面は連結部を基点として上側に回動屈曲して起き上がるようになし、脚部床面はその連結部を基点として下側に回動屈曲して座部床面から垂下するようになし、その下端部の足台床面はその連結部を基点として上側に回動屈曲してほぼ水平状態を維持するようになすことにより椅子状の屈曲状態に形状を変形することができるとともに、前記背部床面と座部床面の左右両側部では、立ち上がった背部床面の中間上方に肘掛床面がほぼ水平状態に形成されるように形態を変形することができ、
更に、動力伝達部の前記後輪駆動機構の駆動操作により前記可動ベット体を固定ベット本体から分離して移動できるように構成されており、
前記マット構造部材は、背部床マット、座部床マット、脚部床マット、足台床マットと肘掛部マットとからなり、前記床面構成体を構成する背部床面、座部床面、脚部床面、足台床面、肘掛部床面の上面に、それぞれ相対応するように固着していることを特徴とする車椅子兼用介護ベット。
【請求項２】
請求項１に記載する車椅子兼用介護ベットにおいて、前記マット構造部材は、背部床マット、座部床マット、脚部床マット、足台床マットが継ぎ目部を介して順次連結されており、当該継ぎ目部を介して水平状態及び屈曲状態に形態を変形できるように構成されたものと、左右の肘掛部マットとからなり、
前記車椅子構造基体の床面構成体上には、当該マット構造部材が装着されているが、その際、当該連結されたマット構造部材の背部床マット、座部床マット、脚部床マット、足台床マットは、当該床面構成体の構成部材である背部床面、座部床面、脚部床面、足台床面に相対応するように装着するとともに、左右の肘掛部マットはそれぞれ肘掛部床面に装着するようにしたことを特徴とする請求項１記載の車椅子兼用介護ベット。
【請求項３】
請求項１に記載する車椅子兼用介護ベットにおいて、固定ベット本体のベット体側部の一部が外側に開扉状に開閉する出入口部は、両開扉状に開閉する構造であっても或いは片開扉状に開閉する構造のものであっても良いことを特徴とする請求項１に記載する車椅子兼用介護ベット。
【考案の詳細な説明】
【技術分野】
【０００１】
本考案は介護用ベットの一部を介護用車椅子へ変換できるようにして、介護を必要とする老人や病人などの被介護者を車椅子へ乗り換えさせる作業負担を軽減できる車椅子兼用介護ベットに関する。
【背景技術】
【０００２】
従来より、介護を必要とする老人や病人などの被介護者を起き上がらせて移動させたり、外出させたりする際には、車椅子に乗り換えさせることが多い。その際、被介護者を抱き上げてベットから車椅子に乗り移らせたり、車椅子からベットへ戻したりする作業は、介護者にとって体力的に大きな負担となる重労働である。そのため介護者が体力のない老人であったり、体力のない女性や子供である場合には、当該乗り換え作業自体が出来ない場合もある。また、被介護者にとっても、無理な姿勢によってベットから車椅子に乗り移らされたり、車椅子からベットへ戻されたりすることは、苦痛を伴う場合が多く問題であった。
【０００３】
そこで本考案は、ベットの一部を車椅子に変換して分離移動できるようにすることにより、前述したような被介護者を車椅子に乗り移らせたり、車椅子からベットへ戻したりする作業をなくし、介護者の負担を軽減できるようにすることが望まれている。
【０００４】
考案者は、そのような要請に応じて、介護ベットの一部が車椅子になり、被介護者を車椅子に乗り移らせたり、車椅子からベットへ戻したりする負担の大きい介護作業が必要なくなるような車椅子兼用介護ベットを具現化しようと想起して研究開発をしたものである。そこで先行技術調査をしたところ実開平７−４３５８４号「移動可能な車椅子兼用介護ベット」と、特開２００４−２０８９８５号「老人介護に関する家族及びケアする人の負担を軽減する為の車椅子兼用介護用ベット及び浴槽兼用介護用トイレ及びベルト挿入装置を設けた移置装置を収納したベース兼用フレーム」が存在することを知った。
【先行技術文献】
【特許文献】
【０００５】
【特許文献１】実開平７−４３５８４号
【特許文献２】特開２００４−２０８９８５号
【考案の概要】
【考案が解決しようとする課題】
【０００６】
しかし、それら先行技術は、いずれもベット全体を椅子状に変形する方式のものであるため、実用的なものではなかった。なぜなら、ベットは、本来体を休めるために長時間使用するものであるため、被介護者が寝返りをうったり寝る姿勢を変えたりできるのに十分な広さの幅が必要とされている。これに対し、車椅子の場合には、被介護者を起き上がらせ座らせて使用することになるが、その際には体を支えて姿勢を安定させる必要がある。そのためには車椅子の座席の幅は腰が入る程度の比較的狭いことが要請されている。しかるに、従来の車椅子兼用ベットの場合は、幅が広いベットをそのまま車椅子状に変形する方式となっているため、小回りや軽快な移動がしにくいうえに座っている被介護人の安定性に欠けるという難点があるし、当該ベットの幅を狭く構成すると、ベットとしては寝返りもできない窮屈なものになり長時間使用には向かないものとなる。本考案は、上記のような要請や技術的課題を解消することを目的とするものである。
【課題を解決するための手段】
【０００７】
実用新案登録を受けようとする第１考案は、中央部に収納空間部を形成してなる固定ベット本体と、当該収納空間部に嵌合組み合わせて介護用ベットを構成し得る可動ベット体とからなる。当該固定ベット本体は、その中央部の長手方向に水平状態の前記可動ベット体が嵌合できるように収納空間部が穿設されているとともに、その左右いずれか一方のベット体側部には、当該ベット体側部の一部が外側に開扉状に開閉する出入口部が構成されている。当該出入口部が開成状態時には前記収納空間部から前記可動ベット体が出入できるように開口され、当該出入口部が閉成状態時にはベット体の側部を構成するようになっている。
【０００８】
前記可動ベット体は、車椅子構造基体とマット構造部材との組み合わせからなる。当該車椅子構造基体は、床面構成体と動力伝達部とから構成されている。当該床面構成体は、固定ベット本体と同一高さの背部床面、座部床面、脚部床面、足台床面を順次直列に枢着配設するとともに、当該背部床面から座部床面にかけての左右両側部には肘掛床面が配設してなる。また、当該動力伝達部は、前記座部床面の下側に脚部を介して左右に一対の前輪と後輪とを設けるとともに、当該座部床面の下側に台枠を配設してそこに前記床面構成体変形の駆動機構と後輪駆動機構とそれらを駆動させるための電源部とを備えた構成になっている。
【０００９】
そして前記床面構成体は、動力伝達部の変形駆動機構の駆動操作により、その構成する前記床面を前記座部床面を基準としてほぼ水平状態の同一平面形状にすることが出来るとともに、当該床面構成体は、当該変形駆動機構の駆動操作により前記座部床面を基準として、背部床面は連結部を基点として上側に回動屈曲して起き上がるようになし、脚部床面はその連結部を基点として下側に回動屈曲して座部床面から垂下するようになし、その下端部の足台床面はその連結部を基点として上側に回動屈曲してほぼ水平状態を維持するようになすことにより椅子状の屈曲状態に形態を変形することができるとともに、前記背部床面と座部床面の左右両側部では、立ち上がった背部床面の中間上方に肘掛床面がほぼ水平状態に形成されるように変形することができる。
【００１０】
更に、動力伝達部の前記後輪駆動機構の駆動操作により前記可動ベット体を固定ベット本体から分離して自由に移動できるように構成されている。
【００１１】
更にまた、前記マット構造部材は、背部床マット、座部床マット、脚部床マット、足台床マットと肘掛部マットとからなり、前記床面構成体を構成する背部床面、座部床面、脚部床面、足台床面、肘掛部床面の上面に、それぞれ相対応するように固着している。本考案は、叙上のような構成を特徴とする車椅子兼用介護ベットである。
【００１２】
実用新案登録を受けようとする第２考案は、第１考案に記載する車椅子兼用介護ベットにおいて、前記マット構造部材が、背部床マット、座部床マット、脚部床マット、足台床マットが継ぎ目部を介して順次連結形成されており、当該継ぎ目部を介して水平状態及び屈曲状態に形状を変形できるように構成されたものと、左右の肘掛部マットとからなる。このような態様のマット構造部材は、前記車椅子構造基体の床面構成体上に装着されているが、その際、当該連結されたマット構造部材の背部床マット、座部床マット、脚部床マット、足台床マットは、当該床面構成体の構成部材である背部床面、座部床面、脚部床面、足台床面に相対応するように装着するとともに、左右の肘掛部マットはそれぞれ肘掛部床面に装着するような態様にしたことを特徴とする第１考案記載の車椅子兼用介護ベットである。
【００１３】
実用新案登録を受けようとする第３考案は、第１考案に記載する介護用ベットにおいて、固定ベット本体のベット体側部の一部が外側に開扉状に開閉する出入口部は、両開扉状に開閉する構造であっても良いし、或いは片開扉状に開閉する構造のものであっても良いことを特徴とする第１考案に記載する車椅子兼用介護ベットである。
【考案の効果】
【００１４】
本考案は、中央部に収納空間部を形成してなる固定ベット本体と、当該収納空間部に嵌合組み合わせて介護用ベットを構成し得る可動ベット体とからなる。
即ち、本考案は介護用ベットを構成する場合には、固定ベット本体と可動ベット体とが一体となって、幅広くゆったりしたものとなるので、ベットとしての機能が良好なものとなる。それに対し、本考案を車椅子に変換して使用しようとする場合には、被介護者が主に寝ているベットの中央部に嵌合されている幅の狭い可動ベット体の部分だけを車椅子に変形することができるため、当該車椅子の寸法やサイズは、人間工学的な要請に応じた好適なものに設計することができる。その為、当該変換された車椅子は、小回りがきき且つ軽快な動きをする使い勝手の良いものとなり、しかも座っている被介護人の安定性と座り心地の良さを維持することができる。
【００１５】
また、本考案は、当該固定ベット本体の左右いずれか一方のベット体側部に、当該ベット体側部の一部が外側に開扉状に開閉する出入口部が構成されているので、当該出入口部を外側に開扉状に開閉するだけで、簡単に変換した車椅子を介護用ベットの側部から分離移動することができるし、戻る場合にも介護用ベットの側部から容易に収納空間部に嵌合することができるようになった。このように介護用ベットの側部から分離移動したり、嵌合組み合わせたりすることができるのは、使い易く作業的にもスペース的にも効率的である。
【図面の簡単な説明】
【００１６】
【図１】本考案にかかる車椅子兼用介護ベットを介護用ベットの形態に変形した際の斜視図である。
【図２】本考案にかかる車椅子兼用介護ベットの一部を車椅子の形態に変換した際の斜視図である。
【図３】車椅子兼用介護ベットを構成する固定ベット本体を示す斜視図である。
【図４】車椅子兼用介護ベットを構成する固定ベット本体の出入口部を開成状態時にした状態を示す斜視図である。
【図５】車椅子兼用介護ベットを構成する固定ベット本体の出入口部を開成状態時にしようとした状態を示す斜視図である。
【図６】車椅子兼用介護ベットを構成する可動ベット体を示す斜視図である。
【図７】車椅子兼用介護ベットの可動ベット体をベットの形態に変換した状態における車椅子構造基体とマット構造部材との組み合わせ状態を示す斜視図である。
【図８】可動ベット体を車椅子状に変換した状態を示す斜視図である。
【図９】車椅子兼用介護ベットの可動ベット体を車椅子の形態に変換した状態における車椅子構造基体とマット構造部材との組み合わせ状態を示す斜視図である。
【図１０】車椅子構造基体を車椅子の形態に変換した際の構造を示す側面説明図である。
【図１１】車椅子構造基体の動力伝達部を示す斜視説明図である。
【考案を実施するための形態】
【００１７】
以下、本考案にかかる車椅子兼用介護ベットを図示実施例に基づいて説明する。
本考案にかかる車椅子兼用介護ベットは、中央部に収納空間部３を形成してなる固定ベット本体１と、当該収納空間部３に嵌合組み合わせて介護用ベット４を構成し得る可動ベット体２とからなるものである。それは図１に示すように、介護用ベット４の形態に変換することができるとともに、図２に示すように本考案にかかる車椅子兼用介護ベットを構成する可動ベット体を車椅子５の形態に変換することができるものである。
【００１８】
当該固定ベット本体１は、図３に示すようにその中央部の長手方向に水平状態の前記可動ベット体２が嵌合できるように収納空間部３が穿設されている。また、その左右いずれか一方のベット体側部１ａ，１ｂには、当該ベット体側部１ａの一部が外側に開扉状に開閉する出入口部６が構成されている。図２、図４に示すように当該出入口部６は、その開成状態時には前記収納空間部３から前記可動ベット体２が出入できるように開口され、  図３に示すように当該出入口部６が閉成状態時にはベット体側部１ａを構成するようになっている。
尚、前記収納空間部３は固定ベット本体1の中央部に設けられているが、必ずしも真ん中の位置ではなく、出入口部６のあるベット体側部１ａ側に多少寄った位置であってもよいこと勿論である。
【００１９】
前記可動ベット体２は、図５、図６に示すように車椅子構造基体７とマット構造部材８の組み合わせからなる。当該車椅子構造基体７は、床面構成体９と動力伝達部１０とから構成されている。当該床面構成体９は、固定ベット本体１と同一高さの背部床面９ａ、座部床面９ｂ、脚部床面９ｃ、足台床面９ｄを順次直列に連結手段によって連結するとともに、当該背部床面９ａから座部床面９ｂにかけての左右両側部には肘掛床面９ｅ，９ｅが配設してなる。また、当該動力伝達部１０は、前記座部床面９ｂの下側に脚部１１ａ、１１ｂを介して左右に一対の前輪１２と後輪１３とを設けるとともに、当該座部床面９ｂの下側に台枠１４を配設してそこに前記床面構成体９を変形するための変形駆動機構１５ａ，１５ｂと後輪１３を駆動させるための後輪駆動機構１６とそれらを駆動させるための電源部（蓄電池）１７とを備えた構成になっている。
【００２０】
そして前記床面構成体９は、前記変形駆動機構１５ａ，１５ｂの駆動操作により、その構成する前記複数の床面９ａ、９ｂ、９ｃ、９ｄ、９ｅを前記座部床面９ｂを基準としてほぼ水平状態の同一平面形状に変形することが出来るとともに、当該床面構成体９は、前記変形駆動機構１５ａ，１５ｂの駆動操作により前記座部床面９ｂを基準として、背部床面９ａは連結部を基点として上側に回動屈曲して起き上がるようになし、脚部床面９ｃはその連結部を基点として下側に回動屈曲して座部床面９ｂから垂下するようになし、その下端部の足台床面９ｄはその連結部を基点として上側に回動屈曲してほぼ水平状態を維持するようになすことにより椅子状の屈曲状態に形態を変形することができるとともに、前記背部床面９ａと座部床面９ｂの左右両側部では、立ち上がった背部床面９ａの中間上方に肘掛床面９ｅがほぼ水平状態に形成されるように変形することができる。当該肘掛床面９ｅは、図９に示すようにその基部を背部床面９ａの中間部に枢着すると共に、肘掛床面９ｅの先方中間部を支持体１８により平行四辺形状に枢着したパンタグラフ構造にして、背部床面９ａを立ち上げると肘掛床面９ｅも水平状態を維持しながら上昇して、肘掛けとしての機能を果たすようにした。
【００２１】
また、動力伝達部１０の前記後輪駆動機構１６の駆動操作により前記可動ベット体２を固定ベット本体１から分離して自由に移動できるように構成されている。
【００２２】
なお、動力伝達部１０の変形駆動機構１５ａ，１５ｂと後輪駆動機構１６については、電動モーター方式にしても良いし、シリンダー方式にしても良い。
【００２３】
更にまた、図７に示すように、前記マット構造部材８は、背部床マット８ａ、座部床マット８ｂ、脚部床マット８ｃ、足台床マット８ｄと肘掛部マット８ｅとからなり、前記床面構成体９を構成する背部床面９ａ、座部床面９ｂ、脚部床面９ｃ、足台床面９ｄ、肘掛部床面９ｅの上面に、それぞれ相対応するように固着されている。本考案は、叙上のような構成を特徴とする車椅子兼用介護ベットである。
【００２４】
図６乃至図９に示すように、前記マット構造部材８は、背部床マット８ａ、座部床マット８ｂ、脚部床マット８ｃ、足台床マット８ｄが継ぎ目部を介して順次連結形成されており、当該継ぎ目部を介して水平状態及び屈曲状態に形状を変形できるように構成されたものと、左右の肘掛部マット８ｅとからなる実施態様のものであってもよい。この態様のマット構造部材８は、前記車椅子構造基体７の床面構成体９上に装着されているが、その際、当該連結されたマット構造部材８の背部床マット８ａ、座部床マット８ｂ、脚部床マット８ｃ、足台床マット８ｄは、当該床面構成体９の構成部材である背部床面９ａ、座部床面９ｂ、脚部床面９ｃ、足台床面９ｄに相対応するように装着するとともに、左右の肘掛部マット８ｅ，８ｅはそれぞれ肘掛部床面９ｅ，９ｅに装着するようにしてある。
【００２５】
更に、固定ベット本体１のベット体側部１ａの一部が外側に開扉状に開閉する出入口部６は、図４に示すように、両開扉状６ａ，６ａに開閉する構造の実施態様であっても良いし、図５に示すように、片開扉状６ｂに開閉する構造の実施態様であっても良い。
【００２６】
本考案に係る車椅子兼用介護ベットは、叙上のように構成されているので、固定ベット本体１の収納空間部３に可動ベット体２を嵌合組み合わせ、変形駆動機構１５ａ，１５ｂを駆動操作することにより、当該可動ベット体２の床面構成体９の構成部材である前記複数の床面９ａ、９ｂ、９ｃ、９ｄ、９ｅを前記座部床面９ｂを基準としてほぼ水平状態の同一平面形状に変形すると、図１に示すように固定ベット本体１とに可動ベット体２とが一体となって、被介護者は、ゆったりとなった幅広の介護用ベット４として利用することができる。
【００２７】
次に、本考案にかかる車椅子兼用介護ベットを利用して被介護者を寝たまま乗り換えさせる作業を行うことなく車椅子に座った状態にしたい場合には、被介護者をベットのほぼ中央部に寝かせるようにしたうえ、変形駆動機構１５ａ，１５ｂを駆動操作することにより、当該可動ベット体２の床面構成体９の構成部材である前記複数の床面９ａ、９ｂ、９ｃ、９ｄ、９ｅを図２、図８に示すように屈曲状態の形態に変形させて車椅子を構成させる。その上でベット体側部１ａの出入口部６を開扉状に開口し、後輪駆動機構１６を駆動操作することにより構成された可動ベット体２を固定ベット本体１から簡単に分離して自由に移動することができる。もし被看護者の意識がはっきりしていて、手を使うことができれば、被介護者自身でもベットから車椅子に乗ったりベットに戻ったりすることが可能となる。
【００２８】
このように本考案に係る車椅子兼用介護ベットは、被介護者をベットから車椅子に乗り換えさせたり、戻したりする作業をする必要がなくなり、介護作業者の作業負担を大幅に軽減することができるものである。
【符号の説明】
【００２９】
１：固定ベット本体
１ａ：ベット体側部
１ｂ：ベット体側部
２：可動ベット体
３：収納空間部
４：介護用ベット
５：車椅子
６：出入口部
６ａ：両開扉状
６ｂ：片開扉状
７：車椅子構造基体
８：マット構造部材
８ａ：背部床マット
８ｂ：座部床マット
８ｃ：脚部床マット
８ｄ：足台床マット
８ｅ：肘掛部マット
９：床面構成体
９ａ：背部床面
９ｂ：座部床面
９ｃ：脚部床面
９ｄ：足台床面
９ｅ：肘掛床面，
１０：動力伝達部
１１ａ：脚部
１１ｂ：脚部
１２：前輪
１３：後輪
１４：台枠
１５ａ：変形駆動機構，
１５ｂ：変形駆動機構
１６：後輪駆動機構
１７：電源部
１８：支持体
【図１】
0003169742.tif 000003
【図２】
0003169742.tif 000004
【図３】
0003169742.tif 000005
【図４】
0003169742.tif 000006
【図５】
0003169742.tif 000007
【図６】
0003169742.tif 000008
【図７】
0003169742.tif 000009
【図８】
0003169742.tif 000010
【図９】
0003169742.tif 000011
【図１０】
0003169742.tif 000012
【図１１】
0003169742.tif 000013